(57)【要約】【課題】依頼主が印刷を依頼した後、迅速に当該印刷物を定められた場所まで届けることができる宅配印刷システム等を提供すること。【解決手段】位置情報取得手段１１２と、印刷手段１４０と、移動手段と、を備えた複数の移動印刷手段１００ａ等と、位置情報を前記移動印刷手段との関連で管理する位置情報管理手段２２１ａ等と、前記地理情報を伴う印刷情報を入力する地理情報付き印刷情報入力手段２３０等と、前記地理情報付き印刷情報を管理する地理情報付き印刷情報管理手段２２２ａ等と、前記地理情報付き印刷情報管理手段の特定の地理情報と、前記位置情報管理手段の前記位置情報とを比較し特定の前記位置情報を選択する選択手段２２３と、前記選択手段で選択された前記移動印刷手段に対して前記特定の地理情報に関する地理情報付き印刷情報を送信する地理情報付き印刷情報送信手段２１０と、を備える移動印刷管理手段とを有する移動印刷システム１０。【選択図】  図１
2004227086.tif 000002
【特許請求の範囲】
【請求項１】
位置情報取得手段と、
前記位置情報取得手段で取得した位置情報を発信する位置情報発信手段と、
地理情報を伴う印刷情報を受信する地理情報付き印刷情報受信手段と、
前記印刷情報に基づいて印刷を行う印刷手段と、
位置を変更するための移動手段と、を備えた複数の移動印刷手段と、
前記位置情報を受信する位置情報受信手段と、
前記受信した前記位置情報を前記移動印刷手段との関連で管理する位置情報管理手段と、
前記地理情報を伴う印刷情報を入力する地理情報付き印刷情報入力手段と、
前記入力された地理情報付き印刷情報を管理する地理情報付き印刷情報管理手段と、
前記地理情報付き印刷情報管理手段に格納された特定の地理情報と前記位置情報管理手段に格納された前記位置情報とを比較し、前記特定の地理情報に最も近い特定の前記位置情報を選択する選択手段と、
前記選択手段で選択された前記特定の位置情報に該当する前記移動印刷手段の前記地理情報付き印刷情報受信手段に対して、前記特定の地理情報に関する地理情報付き印刷情報を送信する地理情報付き印刷情報送信手段と、を備える移動印刷管理手段と、を有する移動印刷システム。
【請求項２】
前記移動手段が駆動機構付き車両であり、前記位置情報取得手段及び前記印刷情報受信手段が携帯端末装置に備えられていることを特徴とする請求項１に記載の移動印刷システム。
【請求項３】
前記印刷手段が複数種類の印刷装置から成り、前記移動印刷管理手段には、前記移動印刷手段が備える前記印刷装置の種類に関する印刷装置種類情報を管理する印刷装置情報管理手段が備えられていることを特徴とする請求項１又は請求項２に記載の移動印刷システム。
【請求項４】
前記印刷装置情報管理手段には、前記印刷装置の状態を管理する印刷状態管理手段が備えられていること特徴とする請求項３に記載の移動印刷システム。
【請求項５】
前記移動印刷管理手段には、前記地理情報を伴う印刷情報を入力する入力端末装置の端末情報を管理する端末情報管理手段が設けられていることを特徴とする請求項１乃至請求項４のいずれかに記載の移動印刷システム。
【請求項６】
前記地理情報付き印刷情報入力手段は、時刻情報も併せて入力可能な構成となっており、
前記地理情報付き印刷情報管理手段は、入力された地理情報付き印刷情報に、前記時刻情報を関連付けて管理する構成となっていることを特徴とする請求項１乃至請求項５のいずれかに記載の移動印刷システム。
【請求項７】
前記位置情報取得手段がＧＰＳ（Ｇｌｏｂａｌ  Ｐｏｓｉｔｉｏｎｉｎｇ  Ｓｙｓｔｅｍ）装置であり、
前記ＧＰＳ装置がカーナビゲーション装置と連携する構成となっていることを特徴とする請求項１乃至請求項６のいずれかに記載の移動印刷システム。
【請求項８】
移動印刷装置からの位置情報を受信する位置情報受信手段と、
前記受信した前記位置情報を前記移動印刷装置との関連で管理する位置情報管理手段と、
前記地理情報を伴う印刷情報を入力する地理情報付き印刷情報入力手段と、
前記入力された地理情報付き印刷情報を管理する地理情報付き印刷情報管理手段と、
前記地理情報付き印刷情報管理手段に格納された特定の地理情報と前記位置情報管理手段に格納された前記位置情報とを比較し、前記特定の地理情報に最も近い特定の前記位置情報を選択する選択手段と、
前記選択手段で選択された前記特定の位置情報に該当する前記移動印刷手段に対して、前記特定の地理情報に関する地理情報付き印刷情報を送信する地理情報付き印刷情報送信手段と、を備える移動印刷管理装置。
【請求項９】
位置情報取得手段と、
前記位置情報取得手段で取得した位置情報を移動印刷管理装置に発信する位置情報発信手段と、
地理情報を伴う印刷情報を前記移動印刷管理装置から受信する地理情報付き印刷情報受信手段と、
前記印刷情報に基づいて印刷を行う印刷手段と、
位置を変更するための移動手段と、を備えた移動印刷装置。
【請求項１０】
移動印刷手段の位置情報取得手段で位置情報を取得する位置情報取得工程と、
前記移動印刷手段の位置情報発信手段が前記取得した位置情報を移動印刷管理装置に発信する位置情報発信工程と、
前記移動印刷管理装置の位置情報受信手段が前記移動印刷手段の前記位置情報発信手段で発信された前記位置情報を受信する位置情報受信工程と、
前記移動印刷管理装置の位置情報管理手段が前記受信された位置情報を前記移動印刷手段との関連で管理する位置情報管理工程と、
前記移動印刷管理装置の地理情報付き印刷情報入力手段で地理情報を伴う印刷情報を入力する地理情報付き印刷情報入力工程と、
前記移動印刷管理装置の地理情報付き印刷情報管理手段が前記入力された地理情報付き印刷情報を管理する地理情報付き印刷情報管理工程と、
前記移動印刷管理装置の選択手段が前記地理情報付き印刷情報管理手段に格納された特定の地理情報と前記位置情報管理手段に格納された前記位置情報とを比較し、前記特定の地理情報に最も近い特定の前記位置情報を選択する選択工程と、
前記移動印刷管理装置の地理情報付き印刷情報送信手段が前記選択手段で選択された前記特定の位置情報に該当する前記移動印刷手段の前記地理情報付き印刷情報受信手段に対して、前記特定の地理情報に関する地理情報付き印刷情報を送信する地理情報付き印刷情報送信工程と、
前記移動印刷手段の地理情報付き印刷情報受信手段が移動印刷管理装置の印刷情報送信手段から送信される前記地理情報を伴う印刷情報を受信する地理情報付き印刷情報受信工程と、
前記移動印刷手段の印刷手段が前記印刷情報に基づいて印刷を行うと共に、移動手段が位置を変更する印刷及び移動工程と、を備えることを特徴とする移動印刷方法。
【請求項１１】
位置情報受信手段が前記移動印刷手段から発信された位置情報を受信する位置情報受信工程と、
位置情報管理手段が前記受信された位置情報を前記移動印刷装置との関連で管理する位置情報管理工程と、
地理情報付き印刷情報入力手段で地理情報を伴う印刷情報を入力する地理情報付き印刷情報入力工程と、
地理情報付き印刷情報管理手段が前記入力された地理情報付き印刷情報を管理する地理情報付き印刷情報管理工程と、
選択手段が前記地理情報付き印刷情報管理手段に格納された特定の地理情報と前記位置情報管理手段に格納された前記位置情報とを比較し、前記特定の地理情報に最も近い特定の前記位置情報を選択する選択工程と、
地理情報付き印刷情報送信手段が前記選択手段で選択された前記特定の位置情報に該当する前記移動印刷装置に対して、前記特定の地理情報に関する地理情報付き印刷情報を送信する地理情報付き印刷情報送信工程と、を有することを特徴とする移動印刷管理装置の制御方法。
【請求項１２】
位置情報取得手段で位置情報を取得する位置情報取得工程と、
位置情報発信手段が前記取得した位置情報を移動印刷管理装置に発信する位置情報発信工程と、
地理情報付き印刷情報受信手段が移動印刷管理装置から送信される地理情報を伴う印刷情報を受信する地理情報付き印刷情報受信工程と、
印刷手段が前記印刷情報に基づいて印刷を行うと共に、移動手段が位置を変更する印刷及び移動工程と、を備えることを特徴とする移動印刷装置の制御方法。
【請求項１３】
コンピュータに、移動印刷手段の位置情報取得手段が位置情報を取得する位置情報取得工程と、
前記移動印刷手段の位置情報発信手段が前記取得した位置情報を移動印刷管理装置に発信する位置情報発信工程と、
前記移動印刷管理装置の位置情報受信手段が前記移動印刷手段の前記位置情報発信手段で発信された前記位置情報を受信する位置情報受信工程と、
前記移動印刷管理装置の位置情報管理手段が前記受信された位置情報を前記移動印刷手段との関連で管理する位置情報管理工程と、
前記移動印刷管理装置の地理情報付き印刷情報入力手段で地理情報を伴う印刷情報を入力する地理情報付き印刷情報入力工程と、
前記移動印刷管理装置の地理情報付き印刷情報管理手段が前記入力された地理情報付き印刷情報を管理する地理情報付き印刷情報管理工程と、
前記移動印刷管理装置の選択手段が前記地理情報付き印刷情報管理手段に格納された特定の地理情報と前記位置情報管理手段に格納された前記位置情報とを比較し、前記特定の地理情報に最も近い特定の前記位置情報を選択する選択工程と、
前記移動印刷管理装置の地理情報付き印刷情報送信手段が前記選択手段で選択された前記特定の位置情報に該当する前記移動印刷手段の前記地理情報付き印刷情報受信手段に対して、前記特定の地理情報に関する地理情報付き印刷情報を送信する地理情報付き印刷情報送信工程と、
前記移動印刷手段の地理情報付き印刷情報受信手段が移動印刷管理装置の印刷情報送信手段から送信される前記地理情報を伴う印刷情報を受信する地理情報付き印刷情報受信工程と、
前記移動印刷手段の印刷手段が前記印刷情報に基づいて印刷を行うと共に、移動手段が位置を変更する印刷及び移動工程と、を実行させるための移動印刷プログラム。
【請求項１４】
コンピュータに、移動印刷手段の位置情報取得手段が位置情報を取得する位置情報取得工程と、
前記移動印刷手段の位置情報発信手段が前記取得した位置情報を移動印刷管理装置に発信する位置情報発信工程と、
前記移動印刷管理装置の位置情報受信手段が前記移動印刷手段の前記位置情報発信手段で発信された前記位置情報を受信する位置情報受信工程と、
前記移動印刷管理装置の位置情報管理手段が前記受信された位置情報を前記移動印刷手段との関連で管理する位置情報管理工程と、
前記移動印刷管理装置の地理情報付き印刷情報入力手段で地理情報を伴う印刷情報を入力する地理情報付き印刷情報入力工程と、
前記移動印刷管理装置の地理情報付き印刷情報管理手段が前記入力された地理情報付き印刷情報を管理する地理情報付き印刷情報管理工程と、
前記移動印刷管理装置の選択手段が前記地理情報付き印刷情報管理手段に格納された特定の地理情報と前記位置情報管理手段に格納された前記位置情報とを比較し、前記特定の地理情報に最も近い特定の前記位置情報を選択する選択工程と、
前記移動印刷管理装置の地理情報付き印刷情報送信手段が前記選択手段で選択された前記特定の位置情報に該当する前記移動印刷手段の前記地理情報付き印刷情報受信手段に対して、前記特定の地理情報に関する地理情報付き印刷情報を送信する地理情報付き印刷情報送信工程と、
前記移動印刷手段の地理情報付き印刷情報受信手段が移動印刷管理装置の印刷情報送信手段から送信される前記地理情報を伴う印刷情報を受信する地理情報付き印刷情報受信工程と、
前記移動印刷手段の印刷手段が前記印刷情報に基づいて印刷を行うと共に、移動手段が位置を変更する印刷及び移動工程と、を実行させるための移動印刷プログラムを記録したコンピュータ読み取り可能な記録媒体。
【発明の詳細な説明】
【０００１】
【発明の属する技術分野】
本発明は、印刷物を印刷すると共に特定の場所に届けるための移動印刷システム、移動印刷管理装置、移動印刷装置、移動印刷方法、移動印刷管理装置の制御方法、移動印刷装置の制御方法、移動印刷プログラム、移動印刷プログラムを記録したコンピュータ読み取り可能な記録媒体に関するものである。
【０００２】
【従来の技術】
従来より、例えばデジタルカメラ等で撮像した画像データ等を自己のコンピュータに取り込み、その後、インターネット網を介して印刷サービス用のサーバにアップロードし、それを印刷して依頼主の最寄りの写真現像店舗に配達し、依頼主がそれを取りに行くというサービスが行われている。
また、印刷された写真を依頼主の自宅に郵送等するサービスも行われている。
さらに、公開された技術としては、依頼主がコンピュータ等の端末からｗｅｂサーバにアクセスし、自己の現在位置付近のプリンタを検索し、選択する。そして、依頼主が選択したプリンタに画像を印刷するというものもある（例えば、特許文献１参照）。
【０００３】
【特許文献１】
特開２００２−３０４４５９号公報
【０００４】
【発明が解決しようとする課題】
しかし、このようなサービスでは、依頼主が印刷物である写真等を最寄りの写真現像店舗やプリンタの設置場所に取りに行く必要があった。
また、郵送される場合も、ある程度の日数が必要であった。したがって、いずれにしても印刷物である写真等を依頼した後、現実に入手するまでの迅速性に欠けるという問題があった。
【０００５】
本発明は、以上の点に鑑み、依頼主が印刷を依頼した後、迅速に当該印刷物を定められた場所まで届けることができる移動印刷システム、移動印刷管理装置、移動印刷装置、移動印刷方法、移動印刷管理装置の制御方法、移動印刷装置の制御方法、移動印刷プログラム、移動印刷管理装置の制御プログラム、移動印刷装置の制御プログラム、移動印刷プログラムを記録したコンピュータ読み取り可能な記録媒体、移動印刷管理装置の制御プログラムを記録したコンピュータ読み取り可能な記録媒体、移動印刷装置の制御プログラムを記録したコンピュータ読み取り可能な記録媒体、を提供することを目的とする。
【０００６】
【課題を解決するための手段】
前記目的は、本発明によれば、位置情報取得手段と、前記位置情報取得手段で取得した位置情報を発信する位置情報発信手段と、地理情報を伴う印刷情報を受信する地理情報付き印刷情報受信手段と、前記印刷情報に基づいて印刷を行う印刷手段と、位置を変更するための移動手段と、を備えた複数の移動印刷手段と、
前記位置情報を受信する位置情報受信手段と、前記受信した前記位置情報を前記移動印刷手段との関連で管理する位置情報管理手段と、前記地理情報を伴う印刷情報を入力する地理情報付き印刷情報入力手段と、前記入力された地理情報付き印刷情報を管理する地理情報付き印刷情報管理手段と、前記地理情報付き印刷情報管理手段に格納された特定の地理情報と前記位置情報管理手段に格納された前記位置情報とを比較し、前記特定の地理情報に最も近い特定の前記位置情報を選択する選択手段と、前記選択手段で選択された前記特定の位置情報に該当する前記移動印刷手段の前記地理情報付き印刷情報受信手段に対して、前記特定の地理情報に関する地理情報付き印刷情報を送信する地理情報付き印刷情報送信手段と、を備える移動印刷管理手段と、を有する移動印刷システムにより達成される。
【０００７】
前記構成によれば、前記移動印刷手段には、位置を変更するための移動手段を備えているので、移動印刷手段は任意の場所に移動することができる。そして、この移動印刷手段は複数あるので、それぞれの移動印刷手段を異なる場所に配置することができる。
また、前記移動印刷手段は位置情報取得手段及び前記位置情報発信手段を有するので、現在地の位置情報を例えば緯度、経度及び高度等で取得し、前記移動印刷管理手段に送信することができる。
そして、前記移動印刷手段は、例えば届け先の住所等である地理情報を伴う印刷情報、例えばＡ０の大きさの紙に１０枚印刷等の印刷情報を受信する地理情報付き印刷情報受信手段を有している。
【０００８】
また、前記移動印刷手段は、前記印刷情報に基づいて印刷を行う印刷手段を有している。
したがって、前記移動印刷手段は、前記印刷情報に基づいて前記印刷手段で印刷を行いながら、前記地理情報で特定される場所に前記移動手段で移動することができる。
このため、印刷が終了した後、迅速に印刷物を、前記地理情報で定められた届け先に届けることができる。
【０００９】
一方、移動印刷管理手段には、例えば依頼主が前記地理情報（例えば、届け先の住所等）を伴う印刷情報（例えば、Ａ０の大きさの紙に１０枚印刷等）を入力する地理情報付き印刷情報入力手段と前記地理情報付き印刷情報管理手段を有している。
このため、依頼主から入力された前記地理情報及び印刷情報は、関連付けて前記地理情報付き印刷情報管理手段に格納される。
また、前記移動印刷管理手段は、前記位置情報受信手段と前記位置情報管理手段を有しているので、前記移動印刷手段の位置情報を随時把握することができる。
【００１０】
そして、前記移動印刷管理手段は、前記選択手段を有しているので、依頼主が入力し、前記地理情報付き印刷情報管理手段に格納した特定の地理情報（例えば届け先住所等）と、前記位置情報管理手段に格納された前記移動印刷手段の位置情報とを比較して、例えば届け先住所等に最も近い場所に居る前記移動印刷手段を選択することができる。
そして、前記移動印刷管理手段は、前記印刷情報送信手段を有しているので、前記選択された前記移動印刷手段の前記地理情報付き印刷情報受信手段に対して、前記届け先住所等に関する前記地理情報付き印刷情報（印刷情報として、例えば、Ａ０の大きさの紙に１０枚印刷等、地理情報として例えば届け先住所等）を送信することができる。
【００１１】
この情報を前記移動印刷手段の前記地理情報付き印刷情報手段が受信する。
そして、前記移動印刷手段は、前記印刷情報に基づいて前記印刷手段が印刷をしながら、前記地理情報である、例えば届け先住所等に向かい移動することとなる。
以上のように、前記移動印刷管理手段と前記移動印刷手段によって、依頼主が特定した場所に、印刷物を迅速に届けることができ、特に緊急を要し、時間がない場合でも速やかに所定の印刷物を所定の場所に届けることができる。
【００１２】
好ましくは、前記移動手段が駆動機構付き車両であり、前記位置情報取得手段及び前記印刷情報受信手段が携帯端末装置に備えられていることを特徴とする移動印刷システムである。
【００１３】
前記構成によれば、前記移動手段が駆動機構付き車両である例えば自動車等であるので、前記地理情報で特定される場所である例えば届け先住所等に迅速に移動することが可能となる。
また、前記位置情報取得手段及び前記印刷情報受信手段が前記携帯端末装置に備えられているので、携帯端末装置である例えば携帯電話装置等を駆動機構付き車両内に配置するだけでよく、特別な装置を前記駆動機構付き車両内に設置する必要がない。このため、コストを低減することができる。
【００１４】
好ましくは、前記印刷手段が複数種類の印刷装置から成り、前記移動印刷管理手段には、前記移動印刷手段が備える前記印刷装置の種類に関する印刷装置種類情報を管理する印刷装置情報管理手段が備えられていることを特徴とする移動印刷システムである。
【００１５】
前記構成によれば、前記印刷手段が複数種類の印刷装置から成っているので、各移動印刷手段に異なった種類の印刷装置を搭載することができる。
そして、前記移動印刷管理手段には、前記移動印刷手段が備える前記印刷装置の種類に関する印刷装置種類情報を管理する印刷装置情報管理手段が備えられているので、前記移動印刷管理手段は、各移動印刷手段が搭載している印刷装置の種類を把握している。
したがって、前記地理情報で特定される場所である例えば届け先住所等に最も近い場所に所在する移動印刷手段で、且つ前記印刷情報で要求される印刷が可能な種類の印刷装置を搭載している移動印刷手段を、前記移動印刷管理手段は選択し、当該移動印刷手段に指示を出すことができる。
したがって、依頼主の様々な種類に印刷要求にも迅速に対応することができる。
【００１６】
好ましくは、前記印刷装置情報管理手段には、前記印刷装置の状態を管理する印刷状態管理手段が備えられていること特徴とする移動印刷システムである。
【００１７】
前記構成によれば、前記印刷装置情報管理手段には、前記印刷装置の状態を管理する印刷状態管理手段が備えられているので、前記移動印刷手段に搭載されている前記印刷装置の状況、例えば、故障中、インク不足等を把握することができる。
したがって、前記印刷装置情報管理手段が選択した移動印刷手段に搭載されている前記印刷装置のインク不足等により前記印刷情報を印刷できない等の事態の発生を未然に防ぐことができる。
【００１８】
好ましくは、前記移動印刷管理手段には、前記地理情報を伴う印刷情報を入力する入力端末装置の端末情報を管理する端末情報管理手段が設けられていることを特徴とする移動印刷システムである。
【００１９】
前記構成によれば、前記移動印刷管理手段には、前記地理情報を伴う印刷情報を入力する入力端末装置の端末情報を管理する端末情報管理手段が設けられているので、依頼主の前記入力端末装置の端末情報を管理することで依頼主に関する情報も管理することができる。
【００２０】
好ましくは、前記地理情報付き印刷情報入力手段は、時刻情報も併せて入力可能な構成となっており、前記地理情報付き印刷情報管理手段は、入力された地理情報付き印刷情報に、前記時刻情報を関連付けて管理する構成となっていることを特徴とする移動印刷システムである。
【００２１】
前記構成によれば、前記地理情報付き印刷情報入力手段は、時刻情報も併せて入力可能な構成となっており、前記地理情報付き印刷情報管理手段は、入力された地理情報付き印刷情報に、前記時刻情報を関連付けて管理する構成となっている。
このため、前記地理情報で特定される届け先住所に印刷情報に基づいて印刷された印刷物を届ける時刻も依頼主は特定でき、その時刻に届ける旨、前記移動印刷管理手段は前記移動印刷手段に指示することが可能となる。
【００２２】
好ましくは、前記位置情報取得手段がＧＰＳ（Ｇｌｏｂａｌ  Ｐｏｓｉｔｉｏｎｉｎｇ  Ｓｙｓｔｅｍ）装置であり、前記ＧＰＳ装置がカーナビゲーション装置と連携する構成となっていることを特徴とする移動印刷システムである。
【００２３】
前記構成によれば、前記位置情報取得手段がＧＰＳ（Ｇｌｏｂａｌ  Ｐｏｓｉｔｉｏｎｉｎｇ  Ｓｙｓｔｅｍ）装置であり、前記ＧＰＳ装置がカーナビゲーション装置と連携する構成となっている。
このため、前記移動印刷手段は、前記地理情報で特定される場所に迅速に到達することができる。
【００２４】
前記目的は、本発明によれば、移動印刷装置からの位置情報を受信する位置情報受信手段と、前記受信した前記位置情報を前記移動印刷装置との関連で管理する位置情報管理手段と、前記地理情報を伴う印刷情報を入力する地理情報付き印刷情報入力手段と、前記入力された地理情報付き印刷情報を管理する地理情報付き印刷情報管理手段と、前記地理情報付き印刷情報管理手段に格納された特定の地理情報と前記位置情報管理手段に格納された前記位置情報とを比較し、前記特定の地理情報に最も近い特定の前記位置情報を選択する選択手段と、前記選択手段で選択された前記特定の位置情報に該当する前記移動印刷手段に対して、前記特定の地理情報に関する地理情報付き印刷情報を送信する地理情報付き印刷情報送信手段と、を備える移動印刷管理装置である。
【００２５】
前記構成によれば、移動印刷管理装置には、例えば依頼主が前記地理情報（例えば、届け先の住所等）を伴う印刷情報（例えば、Ａ０の大きさの紙に１０枚印刷等）を入力する地理情報付き印刷情報入力手段と前記地理情報付き印刷情報管理手段を有している。
このため、依頼主から入力された前記地理情報及び印刷情報は、関連付けて前記地理情報付き印刷情報管理手段に格納される。
また、前記移動印刷管理装置は、前記位置情報受信手段と前記位置情報管理手段を有しているので、前記移動印刷装置の位置情報を随時把握することができる。
そして、前記移動印刷管理手段は、前記選択手段を有しているので、依頼主が入力し、前記地理情報付き印刷情報管理手段に格納した特定の地理情報（例えば届け先住所等）と、前記位置情報管理手段に格納された前記移動印刷装置の位置情報とを比較して、例えば届け先住所等に最も近い場所に居る前記移動印刷装置を選択することができる。
【００２６】
そして、前記移動印刷管理手段は、前記印刷情報送信手段を有しているので、前記選択された前記移動印刷装置に対して、前記届け先住所等に関する前記地理情報付き印刷情報（印刷情報として、例えば、Ａ０の大きさの紙に１０枚印刷等、地理情報として例えば届け先住所等）を送信することができる。
この情報を前記移動印刷装置が受信し、前記印刷情報に基づいて前記印刷手段が印刷をしながら、前記地理情報である、例えば届け先住所等に向かい移動することとなる。
以上のように、前記移動印刷管理装置によって、依頼主が特定した場所に、印刷物を迅速に届けることができ、特に緊急を要し、時間がない場合でも速やかに所定の印刷物を所定の場所に届けることができる。
【００２７】
前記目的は、本発明によれば、位置情報取得手段と、前記位置情報取得手段で取得した位置情報を移動印刷管理装置に発信する位置情報発信手段と、地理情報を伴う印刷情報を前記移動印刷管理装置から受信する地理情報付き印刷情報受信手段と、前記印刷情報に基づいて印刷を行う印刷手段と、位置を変更するための移動手段と、を備えた移動印刷装置により達成される。
【００２８】
前記構成によれば、前記移動印刷装置には、位置を変更するための移動手段を備えているので、移動印刷装置は任意の場所に移動することができる。
また、前記移動印刷装置は前記位置情報取得手段及び前記位置情報発信手段を有するので、現在地の位置情報を例えば緯度、経度及び高度等で取得し、前記移動印刷管理装置に送信することができる。
そして、前記移動印刷装置は、例えば届け先の住所等である地理情報を伴う印刷情報、例えばＡ０の大きさの紙に１０枚印刷等の印刷情報を受信する地理情報付き印刷情報受信手段を有している。
【００２９】
また、前記移動印刷装置は、前記印刷情報に基づいて印刷を行う印刷手段を有している。
したがって、前記移動印刷装置は、前記印刷情報に基づいて前記印刷手段で印刷を行いながら、前記地理情報で特定される場所に前記移動手段で移動することができる。
このため、印刷が終了した後、迅速に印刷物を、前記地理情報で定められた届け先に届けることができる。
【００３０】
前記目的は、本発明によれば、移動印刷手段の位置情報取得手段で位置情報を取得する位置情報取得工程と、前記移動印刷手段の位置情報発信手段が前記取得した位置情報を移動印刷管理装置に発信する位置情報発信工程と、前記移動印刷管理装置の位置情報受信手段が前記移動印刷手段の前記位置情報発信手段で発信された前記位置情報を受信する位置情報受信工程と、前記移動印刷管理装置の位置情報管理手段が前記受信された位置情報を前記移動印刷手段との関連で管理する位置情報管理工程と、前記移動印刷管理装置の地理情報付き印刷情報入力手段で地理情報を伴う印刷情報を入力する地理情報付き印刷情報入力工程と、前記移動印刷管理装置の地理情報付き印刷情報管理手段が前記入力された地理情報付き印刷情報を管理する地理情報付き印刷情報管理工程と、前記移動印刷管理装置の選択手段が前記地理情報付き印刷情報管理手段に格納された特定の地理情報と前記位置情報管理手段に格納された前記位置情報とを比較し、前記特定の地理情報に最も近い特定の前記位置情報を選択する選択工程と、前記移動印刷管理装置の地理情報付き印刷情報送信手段が前記選択手段で選択された前記特定の位置情報に該当する前記移動印刷手段の前記地理情報付き印刷情報受信手段に対して、前記特定の地理情報に関する地理情報付き印刷情報を送信する地理情報付き印刷情報送信工程と、前記移動印刷手段の地理情報付き印刷情報受信手段が移動印刷管理装置の印刷情報送信手段から送信される前記地理情報を伴う印刷情報を受信する地理情報付き印刷情報受信工程と、前記移動印刷手段の印刷手段が前記印刷情報に基づいて印刷を行うと共に、移動手段が位置を変更する印刷及び移動工程と、を備えることを特徴とする移動印刷方法により達成される。
【００３１】
前記構成によれば、前記位置情報取得工程と前記位置情報発信工程により、前記移動印刷装置は、現在地の位置情報を例えば緯度、経度及び高度等で取得し、前記移動印刷管理手段に送信することができる。
また、前記位置情報受信工程及び前記位置情報管理工程により、前記移動印刷管理手段は、前記移動印刷手段の位置情報を随時把握することができる。
また、前記地理情報付き印刷情報入力工程と前記地理情報付き印刷情報管理工程により、例えば依頼主から入力された前記地理情報（例えば、届け先の住所等）及び印刷情報（例えば、Ａ０の大きさの紙に１０枚印刷等）は、関連付けて前記地理情報付き印刷情報管理手段に格納される。
【００３２】
また、前記選択工程により、前記移動印刷管理手段は、依頼主が入力し、前記地理情報付き印刷情報管理手段に格納した特定の地理情報（例えば届け先住所等）と、前記位置情報管理手段に格納された前記移動印刷手段の位置情報とを比較して、例えば届け先住所等に最も近い場所に居る前記移動印刷手段を選択することができる。
また、前記地理情報付き印刷情報送信工程により、前記移動印刷管理手段は、前記選択された前記移動印刷手段の前記地理情報付き印刷情報受信手段に対して、前記届け先住所等に関する前記地理情報付き印刷情報（印刷情報として、例えば、Ａ０の大きさの紙に１０枚印刷等、地理情報として例えば届け先住所等）を送信することができる。
【００３３】
また、前記地理情報付き印刷情報受信工程により、前記移動印刷手段は、例えば届け先の住所等である地理情報を伴う印刷情報、例えばＡ０の大きさの紙に１０枚印刷等の印刷情報を受信する。
また、前記移動印刷手段の印刷手段が前記印刷情報に基づいて印刷を行うと共に、移動手段が位置を変更する印刷及び移動工程により、前記移動印刷手段は、前記印刷情報に基づいて前記印刷手段で印刷を行いながら、前記地理情報で特定される場所に前記移動手段で移動することができる。
このため、印刷が終了した後、迅速に印刷物を、前記地理情報で定められた届け先に届けることができる。
以上のように、依頼主が特定した場所に、印刷を行いながら印刷物を迅速に届けることができ、特に緊急を要し、時間がない場合でも速やかに所定の印刷物を所定の場所に届けることができる。
【００３４】
前記目的、本発明によれば、位置情報受信手段が前記移動印刷手段から発信された位置情報を受信する位置情報受信工程と、位置情報管理手段が前記受信された位置情報を前記移動印刷装置との関連で管理する位置情報管理工程と、地理情報付き印刷情報入力手段で地理情報を伴う印刷情報を入力する地理情報付き印刷情報入力工程と、地理情報付き印刷情報管理手段が前記入力された地理情報付き印刷情報を管理する地理情報付き印刷情報管理工程と、選択手段が前記地理情報付き印刷情報管理手段に格納された特定の地理情報と前記位置情報管理手段に格納された前記位置情報とを比較し、前記特定の地理情報に最も近い特定の前記位置情報を選択する選択工程と、地理情報付き印刷情報送信手段が前記選択手段で選択された前記特定の位置情報に該当する前記移動印刷装置に対して、前記特定の地理情報に関する地理情報付き印刷情報を送信する地理情報付き印刷情報送信工程と、を有することを特徴とする移動印刷管理装置の制御方法により達成される。
【００３５】
前記構成によれば、前記位置情報受信工程と前記位置情報管理工程により、前記移動印刷管理装置は、前記移動印刷装置の位置情報を随時把握することができる。
また、前記地理情報付き印刷情報入力工程と前記地理情報付き印刷情報管理工程により、例えば依頼主から入力された地理情報（例えば、届け先の住所等）及び印刷情報（例えば、Ａ０の大きさの紙に１０枚印刷等）は、関連付けて前記地理情報付き印刷情報管理手段に格納される。
また、前記選択工程により、依頼主が入力し、前記地理情報付き印刷情報管理手段に格納した特定の地理情報（例えば届け先住所等）と、前記位置情報管理手段に格納された前記移動印刷装置の位置情報とを比較して、例えば届け先住所等に最も近い場所に居る前記移動印刷装置を選択することができる。
【００３６】
また、前記地理情報付き印刷情報送信工程により、前記選択された前記移動印刷装置に対して、前記届け先住所等に関する前記地理情報付き印刷情報（印刷情報として、例えば、Ａ０の大きさの紙に１０枚印刷等、地理情報として例えば届け先住所等）を送信することができる。
この情報を前記移動印刷装置が受信し、前記印刷情報に基づいて前記印刷手段が印刷をしながら、前記地理情報である、例えば届け先住所等に向かい移動することとなる。
以上のように、移動印刷管理装置の制御方法によれば、依頼主が特定した場所に、印刷物を迅速に届けることができ、特に緊急を要し、時間がない場合でも速やかに所定の印刷物を所定の場所に届けることができる。
【００３７】
前記目的は、本発明によれば、位置情報取得手段で位置情報を取得する位置情報取得工程と、位置情報発信手段が前記取得した位置情報を移動印刷管理装置に発信する位置情報発信工程と、地理情報付き印刷情報受信手段が移動印刷管理装置から送信される地理情報を伴う印刷情報を受信する地理情報付き印刷情報受信工程と、印刷手段が前記印刷情報に基づいて印刷を行うと共に、移動手段が位置を変更する印刷及び移動工程と、を備えることを特徴とする移動印刷装置の制御方法により達成される。
【００３８】
前記構成によれば、前記位置情報取得工程と前記位置情報発信工程により、  移動印刷装置の現在地の位置情報を例えば緯度、経度及び高度等で取得し、前記移動印刷管理装置に送信することができる。
また、前記地理情報付き印刷情報受信工程により、前記移動印刷装置は、例えば届け先の住所等である地理情報を伴う印刷情報、例えばＡ０の大きさの紙に１０枚印刷等の印刷情報を受信する。
また、前記印刷及び移動工程により、前記移動印刷装置は、前記印刷情報に基づいて前記印刷手段で印刷を行いながら、前記地理情報で特定される場所に前記移動手段で移動することができる。
このため、印刷が終了した後、迅速に印刷物を、前記地理情報で定められた届け先に届けることができる。
【００３９】
前記目的は、本発明によれば、コンピュータに、移動印刷手段の位置情報取得手段が位置情報を取得する位置情報取得工程と、前記移動印刷手段の位置情報発信手段が前記取得した位置情報を移動印刷管理装置に発信する位置情報発信工程と、前記移動印刷管理装置の位置情報受信手段が前記移動印刷手段の前記位置情報発信手段で発信された前記位置情報を受信する位置情報受信工程と、前記移動印刷管理装置の位置情報管理手段が前記受信された位置情報を前記移動印刷手段との関連で管理する位置情報管理工程と、前記移動印刷管理装置の地理情報付き印刷情報入力手段で地理情報を伴う印刷情報を入力する地理情報付き印刷情報入力工程と、前記移動印刷管理装置の地理情報付き印刷情報管理手段が前記入力された地理情報付き印刷情報を管理する地理情報付き印刷情報管理工程と、前記移動印刷管理装置の選択手段が前記地理情報付き印刷情報管理手段に格納された特定の地理情報と前記位置情報管理手段に格納された前記位置情報とを比較し、前記特定の地理情報に最も近い特定の前記位置情報を選択する選択工程と、前記移動印刷管理装置の地理情報付き印刷情報送信手段が前記選択手段で選択された前記特定の位置情報に該当する前記移動印刷手段の前記地理情報付き印刷情報受信手段に対して、前記特定の地理情報に関する地理情報付き印刷情報を送信する地理情報付き印刷情報送信工程と、前記移動印刷手段の地理情報付き印刷情報受信手段が移動印刷管理装置の印刷情報送信手段から送信される前記地理情報を伴う印刷情報を受信する地理情報付き印刷情報受信工程と、前記移動印刷手段の印刷手段が前記印刷情報に基づいて印刷を行うと共に、移動手段が位置を変更する印刷及び移動工程と、を実行させるための移動印刷プログラムにより達成される。
【００４０】
前記構成によれば、前記移動印刷方法と同様の作用等が生じる移動印刷プログラムを提供することができる。
すなわち、依頼主が特定した場所に、印刷を行いながら印刷物を迅速に届けることができ、特に緊急を要し、時間がない場合でも速やかに所定の印刷物を所定の場所に届けることができる移動印刷プログラムとなる。
【００４１】
前記目的は、本発明によれば、コンピュータに、移動印刷手段の位置情報取得手段が位置情報を取得する位置情報取得工程と、前記移動印刷手段の位置情報発信手段が前記取得した位置情報を移動印刷管理装置に発信する位置情報発信工程と、前記移動印刷管理装置の位置情報受信手段が前記移動印刷手段の前記位置情報発信手段で発信された前記位置情報を受信する位置情報受信工程と、前記移動印刷管理装置の位置情報管理手段が前記受信された位置情報を前記移動印刷手段との関連で管理する位置情報管理工程と、前記移動印刷管理装置の地理情報付き印刷情報入力手段で地理情報を伴う印刷情報を入力する地理情報付き印刷情報入力工程と、前記移動印刷管理装置の地理情報付き印刷情報管理手段が前記入力された地理情報付き印刷情報を管理する地理情報付き印刷情報管理工程と、前記移動印刷管理装置の選択手段が前記地理情報付き印刷情報管理手段に格納された特定の地理情報と前記位置情報管理手段に格納された前記位置情報とを比較し、前記特定の地理情報に最も近い特定の前記位置情報を選択する選択工程と、前記移動印刷管理装置の地理情報付き印刷情報送信手段が前記選択手段で選択された前記特定の位置情報に該当する前記移動印刷手段の前記地理情報付き印刷情報受信手段に対して、前記特定の地理情報に関する地理情報付き印刷情報を送信する地理情報付き印刷情報送信工程と、前記移動印刷手段の地理情報付き印刷情報受信手段が移動印刷管理装置の印刷情報送信手段から送信される前記地理情報を伴う印刷情報を受信する地理情報付き印刷情報受信工程と、前記移動印刷手段の印刷手段が前記印刷情報に基づいて印刷を行うと共に、移動手段が位置を変更する印刷及び移動工程と、を実行させるための移動印刷プログラムを記録したコンピュータ読み取り可能な記録媒体により達成される。
【００４２】
前記構成によれば、前記移動印刷方法と同様の作用等が生じる移動印刷プログラムを記録したコンピュータ読み取り可能な記録媒体を提供することができる。
すなわち、依頼主が特定した場所に、印刷を行いながら印刷物を迅速に届けることができ、特に緊急を要し、時間がない場合でも速やかに所定の印刷物を所定の場所に届けることができる移動印刷プログラムを記録したコンピュータ読み取り可能な記録媒体となる。
【００４３】
【発明の実施の形態】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００４４】
図１は、本発明である移動印刷システムの実施の形態に係る例えば、オンデマンド印刷システム１０を示す概略図である。
図１に示すように、オンデマンド印刷システム１０は、複数の印刷移動手段である例えば複数の管理車両１００ａ等と、移動印刷管理手段である例えば、管理センタ２００を有している。
これら管理車両１００ａ等は、多数存在することが好ましいが本実施の形態では説明の都合、３台の管理車両１００ａ、１００ｂ、１００ｃで以下説明する。
また、これら管理車両１００ａ等は、図１に示すように管理センタ２００と無線基地局１１を介して通信している。
具体的には、後述する携帯電話で交信するため、無線基地局は複数箇所存在するのが、好ましいが、本実施の形態では説明の都合上、一つの無線基地局１１で以下説明する。
【００４５】
管理センタ２００は、無線又は有線の基地局１２を介してインターネット網１３に接続されている。
一方、図１に示すＰＣ（パーソナルコンピュータ）は、利用者端末１４ａ乃至１４ｃであり、利用者の例えば自宅等に置かれている。
これら利用者端末１４ａ等は、管理センタ２００と同様に無線又は有線の基地局１２を介してインターネット網１３に接続されている。
このため、各利用者は自宅の利用者端末１４ａ等からインターネット網１３を介して管理センタ２００に接続可能な構成となっている。
【００４６】
（管理車両１００ａ等のハードウエアの全体構成等について）
管理車両１００ａ等は位置を変更するための移動手段である例えばガソリン自動車の駆動機構等が付いている車両であるので、運転者が操作することで管理車両１００ａ等が移動可能な構成となっている。
図２は、図１の管理車両１００の主なハードウエアの構成を示す概略図である。図２に示すように管理車両１００には、携帯電話装置１１０、制御装置１２０、カーナビゲーション装置１３０及び印刷装置１４０等を備えている。
【００４７】
（携帯電話装置１１０等のハードウエア構成等について）
携帯電話装置１１０は、図２に示すように無線装置１１１と、位置情報取得手段である例えば自己位置認識装置（ＧＰＳ装置）１１２とを備えている。
このＧＰＳ（Ｇｌｏｂａｌ  Ｐｏｓｉｔｉｏｎｉｎｇ  Ｓｙｓｔｅｍ）装置１１２は、図１のＧＰＳ衛星１５ａ乃至１５ｄから信号を受信することで自己位置の緯度、経度及び高度等に位置情報を取得する装置となっている。
無線装置１１１は、携帯電話装置１１０の電話機構を備えており、無線基地局１１を介して電話回線により信号の授受が可能となっている。
すなわち、無線装置１１１は、無線基地局１１を介して管理センタ２００と電話通信をすることができる構成になっていると共に、管理センタ２００からの各種情報に関するデータを受信し、若しくは管理センタ２００へ各種情報に関するデータを送信できる構成となっている。
【００４８】
このため、無線装置１１１は、ＧＰＳ装置１１２で取得した位置情報を図１の管理センタ２００に発信する位置情報発信手段として機能する。
また、無線装置１１１は、後述する地理情報を伴う印刷情報を受信する地理情報付き印刷情報受信手段としても機能する。
このように携帯電話装置１１０には、位置情報取得手段であるＧＰＳ装置１１２と印刷情報受信手段である無線装置１１１が備えられている。
【００４９】
（制御装置１２０等のハードウエア構成等について）
図２に示すように制御装置１２０は、具体的には、運行管理装置１２１と印刷情報管理装置１２２等となっている。
図３は、運行管理装置１２１及び印刷情報管理装置１２２等の主なハードウエア構成等を示す概略図である。
図３に示すように、運行管理装置１２１及び印刷情報管理装置１２２等は、例えばコンピュータ等により構成されており、コンピュータは、バス１２３を有しており、このバス１２３に、ＣＰＵ（Ｃｅｎｔｒａｌ  Ｐｒｏｃｅｓｓｉｎｇ  Ｕｎｉｔ）１２４、ＲＡＭ（Ｒａｎｄｏｍ  Ａｃｃｅｓｓ  Ｍｅｍｏｒｙ）１２５、ＲＯＭ（Ｒｅａｄ  Ｏｎｌｙ  Ｍｅｍｏｒｙ）１２６、ハードディスク１２７等が配置されている。
そして、このコンピュータには、無線装置１１１、ＧＰＳ装置１１２、カーナビゲーション装置１３０及び印刷装置１４０や、操作装置１２８及び表示装置１２９等が接続され、これらの装置等の動作等を制御等する構成となっている。
【００５０】
すなわち、このバス１２３はすべてのデバイスを接続する機能を有し、アドレスやデータパスを有する内部パスである。
ＣＰＵ１２４は所定のプログラムの処理を行う他、バス１２３に接続されたＲＯＭ１２６等を制御している。ＲＯＭ１２６は、各種プログラムや各種情報等を格納している。
ＲＡＭ１２５は、プログラム処理中のメモリの内容を対比したり、プログラムを実行するためのエリアとしての機能を有する。
【００５１】
（カーナビゲーション装置１３０及び印刷装置１４０等のハードウエア構成等について）
図２のカーナビゲーション装置１３０は、図３の運行管理装置１２１等と同様にコンピュータより構成され、ＧＰＳ装置１１２で取得した緯度、経度及び高度等の情報を内蔵された地図データベースの地図情報に基づき表示装置であるモニターに、自車位置を表示する構成となっている。
このようにＧＰＳ装置１１２がカーナビゲーション装置１３０と連携する構成となっている。
また、印刷装置１４０は、印刷情報に基づいて印刷を行う印刷手段の一例である例えばインクジェット式プリンタ等であり、通常市販されているプリンタではなく、Ａ０サイズの印刷が可能なプリンタや、高精度印刷が可能なプリンタ等となっている。
【００５２】
これらのプリンタは管理車両１００ａ等に搭載可能な大きさとなっている。各管理車両１００ａに、同一の種類のプリンタを搭載する場合や、異なる種類のプリンタを搭載する場合もある。
また、プリンタは紙に印刷する場合だけでなく、Ｔシャツ等の布地に印刷するプリンタでもよい。
さらに、印刷装置１４０は、一般の耐震（免震）装置（ダンパー）を装備し、管理車両１００ａ等の移動中の印刷も可能な構成となっている。
【００５３】
（管理車両１００ａ等のソフトウエア構成等について）
図４は、管理車両１００ａ等のソフトウエア構成等を示す概略図である。
図４に示すように、ＧＰＳ装置１１２の自己位置取得部１１２ａ、カーナビゲーション装置１３０のカーナビゲーション部１３０ａ及び無線装置１１１の無線部１１１ａは、運行管理装置１２１の運行管理制御部１２１ａに接続されている。
運行管理制御部１２１ａは、無線部１１１ａから取得した印刷物に関する届け先住所等のデータを格納する届け先住所名称等データベース１２１ｃと、自己位置取得部１１２ａで取得した自己位置に関する緯度、経度及び高度等の位置情報を格納する自己位置データベース１２１ｂと接続されている。
【００５４】
また、印刷装置１４０の印刷装置制御部１４０ａ及び無線部１１１ａは、印刷情報管理装置１２２の印刷情報管理制御部１２２ａに接続されている。
印刷情報管理制御部１２２ａは、印刷装置１４０の印刷状態（印刷装置１４０の種類、印刷中、空き、故障中、インク不足等）に関する情報を格納する印刷状態データベース１４０ｂと、無線部１１１ａから取得する印刷情報（用紙サイズ、色（白黒、セピア、鮮やか）指定、印刷属性（文字、画像、画面等）、データサイズ等）を格納するための印刷情報データベース１４０ｃとに接続されている。
【００５５】
すなわち、印刷情報管理制御部１２２ａ及び印刷状態データベース１４０ｂは管理車両１００ａ等が備える印刷装置１４０の種類に関する印刷装置種類情報を管理するので、管理車両１００ａ等は、自己の管理車両１００ａ等が搭載している印刷装置１４０の種類を把握することができる。
また、印刷情報管理制御部１２２ａ及び印刷状態データベース１４０ｂは、印刷装置１４０の状態（印刷中、空き、故障中、インク不足等）を管理するので、管理車両１００ａ等は、自己の管理車両１００ａ等が搭載している印刷装置１４０の状態を把握することができる。
【００５６】
（管理センタ２００のハードウエアの全体構成等について）
図５は、主に管理センタ２００のハードウエア構成等を示す概略図である。
図５に示すように、管理センタ２００は、無線基地局１１を介して管理車両１００ａ等と交信可能な構成となっている送受信装置２１０を有している。
送受信装置２１０は、管理車両１００ａ等の緯度、経度及び高度等の位置情報を受信する位置情報受信手段の一例であると共に、後述する選択手段で選択された特定の地理情報（届け先住所名称等）に該当する管理車両１００ａ等の無線部１１１ａに対して、特定の地理情報に関する地理情報付き印刷情報を送信する地理情報付き印刷情報送信手段の一例ともなっている。
【００５７】
また、管理センタ２００は、情報管理サーバ２２０及びＷｅｂ管理サーバ２３０とを有している。
Ｗｅｂ管理サーバ２３０は、図５に示すように、利用者端末１４ａ等とインターネット網１３等を介して接続されるサービス受付と機能する。
情報管理サーバ２２０は、Ｗｅｂ管理サーバ２３０に入力された各種データを管理すると共に、送受信装置２１０を介して入出力される各種データを管理する機能を有する。
これらＷｅｂ管理サーバ２３０及び情報管理サーバ２２０等は、例えばコンピュータ等により構成され、図３の運行管理装置１２１のコンピュータとほぼ同様の構成等となっている。
【００５８】
（Ｗｅｂ管理サーバ２３０のソフトウエアの構成等について）
図６は、主にＷｅｂ管理サーバ２３０のソフトウエア構成等について示す概略図である。
Ｗｅｂ管理サーバ２３０は利用者端末１４ａ等がインターネット網１３を介して接続するために機能するので、利用者が後述する地理情報を伴う印刷情報を入力するための地理情報付き印刷情報入力手段の一例となる。
具体的には、利用者がインターネット網１３を介して管理センタ２００に接続するためのインターフェース部２３１を有している。
【００５９】
また、Ｗｅｂ管理サーバ２３０は、インターフェース部２３１により接続された利用者の利用者端末１４ａ等のディスプレイに所定の地理情報（届け先住所名称等）や印刷情報（用紙サイズ、色（白黒、セピア、鮮やか）指定、印刷属性（文字、画像、画面等）、データサイズ等）を入力するための画面等を表示するためのＷｅｂ画面形成・出力部２３２を有している。
また、Ｗｅｂ画面形成・出力部２３２には、Ｗｅｂ画面を形成するＷｅｂ画面データベース２３２ａとＷｅｂ画面に地図を表示するための地図データベース２３２ｂとを有している。
さらに、Ｗｅｂ管理サーバ２３０で利用者端末１４ａ等に示すディスプレイには時刻情報も併せて入力可能な構成となっている。
Ｗｅｂ管理サーバ２３０のコンピュータはＨＴＭＬ言語で書かれたファイルを読み取ることができるプラウザがディスプレイ等に表示できる構成となっている。
【００６０】
プラウザとしては、ＨＴＭＬ閲覧ソフトである各種のブラウザソフトが適用される。
また、コンピュータは、ＷＥＢサーバとしての役割を果たすことができ、このコンピュータが搭載している基本制御プログラム（ＯＳ（オペレーションシステム））やＢＩＯＳ（基本出力制御システム）とＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）やｊａｖａ言語等により動作する構成となっている。
【００６１】
（情報管理サーバ２２０のソフトウエアの構成等について）
図７は、主に情報管理サーバ２２０のソフトウエア構成を示す概略図である。
図７に示すように、情報管理サーバ２２０には、管理車両１００ａ等から受信した当該管理車両１００ａ等の位置情報（緯度、経度及び高度等）との関連で管理する位置情報管理手段となる車両運行・状態管理部２２１及び車両位置・印刷機状態データベース２２１ａが配置されている。
また、車両運行・状態管理部２２１及び車両位置・印刷機状態データベース２２１ａは管理車両１００ａ等が備える印刷装置１４０の種類に関する印刷装置種類情報を管理する印刷装置情報管理手段としても機能する。
すなわち、車両運行・状態管理部２２１及び車両位置・印刷機状態データベース２２１ａは、管理車両１００ａ等が搭載している印刷装置１４０の種類に関する情報を取得できる構成となっている。
【００６２】
また、車両運行・状態管理部２２１及び車両位置・印刷機状態データベース２２１ａは、管理車両１００ａ等の搭載している印刷装置１４０の状態に関する情報も取得できるので、印刷装置１４０の状態（印刷中、空き、故障中、インク不足等）を管理する印刷状態管理手段としても機能する。
また、情報管理サーバ２２０には、印刷情報管理部２２２と印刷情報管理データベース２２２ａとを有し、これらはＷｅｂ管理サーバ２３０に入力された地理情報（届け先住所名称等）や印刷情報（用紙サイズ、色（白黒、セピア、鮮やか）指定、印刷属性（文字、画像、画面等）、データサイズ等）を管理する地理情報付き印刷状態管理手段（地理情報付き印刷情報管理手段）として機能する。
【００６３】
情報管理サーバ２２０には、印刷情報管理データベース２２２ａに格納された特定の地理情報（届け先住所名称等）と、車両位置・印刷機状態データベース２２１ａに格納された位置情報（緯度、経度及び高度等）とを比較し、特定の地理情報に最も近い特定の位置情報を選択する選択手段として機能する例えば車両選択部２２３が設けられている。
【００６４】
また、情報管理サーバ２２０には、上述の地理情報（届け先住所名称等）を伴う印刷情報（用紙サイズ、色（白黒、セピア、鮮やか）指定、印刷属性（文字、画像、画面等）、データサイズ等）を入力する入力端末装置（利用者端末１４ａ等）の端末情報を管理する端末情報管理手段である顧客管理・認証部２２４及び顧客管理データベース２２４ａが設けられている。
すなわち、情報管理サーバ２２０にアクセスしてくる利用者端末１４ａ等が例えば会員であるか否かをパスワード等で認証すると共に、会員の各種データを管理する機能を発揮する。
【００６５】
また、Ｗｅｂ管理サーバ２３０に時刻情報が利用者端末１４ａ等から入力された場合は、入力された地理情報（届け先住所名称等）付き印刷情報（用紙サイズ、色（白黒、セピア、鮮やか）指定、印刷属性（文字、画像、画面等）、データサイズ等）に時間情報も関連付けて印刷情報管理データベース２２２ａに格納される。
このため、地理情報で特定される届け先住所等に印刷情報に基づいて印刷された印刷された印刷物を管理車両１００ａ等が届ける時刻も入力者である依頼主は特定することができ、その時刻に届ける旨、管理センタ２００は管理車両１００ａ等に指示することが可能となる。
【００６６】
また、図７に示すように顧客管理・認証部２２４には課金管理データベース２２４ｂが接続されている。
このため、利用者端末１４ａ等から管理センタ２００にアクセスがあり、アクセスで依頼された印刷物の配達が終了した場合等には、課金管理データベース２２４ｂの当該利用者端末１４ａ等のファイル等に課金データが書き込まれることになる。
この課金合成の料金の回収は、カード等の電子決済が可能なように、それらの読み取り装置を別に設け、この装置と管理センタ２００とを無線によるネットワークによって接続すること等により行われる。
【００６７】
（送受信装置２１０のソフトウエア構成等について）
図７に示すように、送受信装置２１０には無線ネットワーク制御部２１１が設けられ各種データを無線基地局１１を介して管理車両１００ａ等に送受信する構成となっている。
【００６８】
本実施の形態に係るオンデマンド印刷システム１０は以上のように構成されているが以下、その動作等について説明する。
図８は、オンデマンド印刷システム１０の動作等を示す概略フローチャートであり、図９は、オンデマンド印刷システム１０の動作等を示す概略シーケンスチャートである。
具体的には、図１の利用者端末１４ａは、自宅（Ａ地点）に設けられており、この利用者端末１４ａを利用する者（甲）が、勤務先で利用している５００万画素ＣＣＤのデジタルカメラで、自宅付近の現場写真を撮り、この現場写真を一般にはあまり利用者頻度が無く高価なＡ０の紙に出力して、本日１７時までに得意先（Ｂ地点）で利用したいと考えている場合を例に以下説明する。
【００６９】
先ず、図８のＳＴ１に示すように「サービスへ接続」が行われる。
具体的には、図９の（ａ）に示すように、ネットワークを用いて接続する。すなわち、図１の利用者端末１４ａを（甲）が操作し、インターネット網１３を介して管理センタ２００のＷｅｂ管理サーバ２３０に接続する。
すると、図６のＷｅｂ管理サーバ２３０はＷｅｂ画面形成・出力部２３２で、利用者端末１４ａのディスプレイにメニュー画面を表示する。
このメニュー画面では、会員若しくは非会員を選択可能となっている。
ここで（甲）が会員を選択すると、図８のＳＴ３のように会員認証情報入力となり、画面に会員番号、パスワード、氏名等の入力画面が表示される。
【００７０】
ここで、（甲）は、利用者端末１４ａから会員番号等を入力する。
すると、図９の（ｂ）のようにＷｅｂ管理サーバ２３０は、入力された「利用者認証」を情報管理サーバ２２０の顧客管理・認証部２２４に入力する。
顧客管理・認証部２２４は、図９の（ｃ）のように顧客管理データベース２２４ａに該当データが存在するか否かを問い合わせる（図８のＳＴ４）。
そして、該当するデータが存在する場合は、図９（ｄ）のように「認証確認」を行った旨、Ｗｅｂ管理サーバ２３０を介して利用者端末１４ａに伝える。
具体的には、画面上に、「認証確認終了」等のメッセージが表示される。
【００７１】
一方、図８のＳＴ２で非会員を選択すると、登録をするか否かを問う画面となり（ＳＴ５）、（甲）が登録するを選択すると、会員情報登録画面が表示される（ＳＴ６）。
この画面で氏名等の必要な事項を入力することで登録が終了する。
また、ＳＴ５で登録しないを選択した場合は、ＳＴ７の利用者の最低限情報を入力することとなる。
【００７２】
ＳＴ４、ＳＴ６又はＳＴ７が終了すると、ＳＴ８の印刷情報入力となる（管理センタ２００のＷｅｂ管理サーバ２３０で地理情報（届け先住所名称等）を伴う印刷情報（用紙サイズ、色（白黒、セピア、鮮やか）指定、印刷属性（文字、画像、画面等）、データサイズ、時間情報等）を入力する印刷情報入力工程）。
先ず、画面には、印刷データの入力画面が表示される。
ここで、（甲）は、５００万画素ＣＣＤのデジタルカメラで撮った現場写真のデータを利用者端末１４ａに入力し、Ｗｅｂ管理サーバ２３０へ送信する（図９（ｅ））。
Ｗｅｂ管理サーバ２３０は、このデータを情報管理サーバ２２０の印刷情報管理部２２２に入力し（図９（ｆ））、印刷情報管理部２２２は、印刷情報管理データベース２２２ａに登録する（図９（ｇ））（図８のＳＴ９）。
【００７３】
（甲）が利用者端末１４ａから印刷データを送信し終わると、画面は印刷条件等の入力画面となる。
具体的には、届け先の住所や名称、用紙サイズ、色（白黒、セピア、鮮やか）指定、印刷属性（文字、画像、画面等）、データサイズ、時間情報等を入力できるように表示される。
本実施の形態では、届け先の住所として、得意先（Ｂ地点）の住所を入力する。また、用紙サイズとして、Ａ０を１０枚指定し、色として鮮やかを指定し、印刷属性として画像を指定、さらに時間情報として１７：００を指定し、Ｗｅｂ管理サーバ２３０に入力する（図９（ｈ））。
このとき、Ｗｅｂ管理サーバ２３０には地図データベース２３２ｂを有するので画面上に地図を表示でき、（甲）が届け先を地図上で特定できるので届け先の間違い等が生じ難く使いやすい画面となる。
【００７４】
Ｗｅｂ管理サーバ２３０は、これらのデータを情報管理サーバ２２０の印刷情報管理部２２２に入力し、印刷情報管理部２２２は印刷情報管理データベース２２２ａに格納する（管理センタ２００の印刷情報管理部２２２と印刷情報管理データベース２２２ａが入力された地理情報付き印刷情報を管理する地理情報付き印刷情報管理工程）。
【００７５】
また、この印刷条件等の入力情報に基づいて情報管理サーバ２２０の車両選択部２２３が車両運行・状態管理部２２１等からデータを取得して、条件に合致する管理車両１００ａ等を検索する（図９（ｉ））（図８のＳＴ１０）。
すなわち、管理センタ２００の車両選択部２２３が印刷情報管理データベース２２２ａに格納された特定の地理情報（地点Ｂ）と車両位置・印刷機状態データベース２２１ａに格納された管理車両１００ａ等の位置情報とを比較し、地点Ｂに最も近い管理車両１００ａを選択する選択工程となる。
具体的には、情報管理サーバ２２０の車両運行・状態管理部２２１が図１の各管理車両１００ａ等に対して車両位置や状態を問い合わせる（図９（ｊ））。
【００７６】
一方、管理車両１００ａ等は、図４の自己位置取得部１１２ａで自己位置を緯度、経度及び高度等で取得し、運行管理制御部１２１ａを介して自己位置データベース１２１ｂに格納される（管理車両１００ａ等のＧＰＳ装置１１２で位置情報を取得する位置情報取得工程）。
次に、図４の運行管理制御部１２１ａが、自己位置データベース１２１ｂ内の位置情報を無線部１１１ａを介して管理センタ２００に発信する（位置情報を管理センタ２００に発信する位置情報発信工程）。
また、図４の印刷情報管理制御部１２２ａは、管理車両１００ａ等の有する印刷装置１４０の印刷状態（印刷装置１４０の種類、印刷中、空き、故障中、インク不足等）に関する情報を格納する印刷状態データベース１４０ｂから取得して、管理センタ２００へ送信する。
【００７７】
管理センタ２００は、各管理車両１００ａ等の位置状態や印刷状態を入手し、情報管理サーバ２２０の印刷情報管理データベース２２２ａや車両位置・印刷機状態データベース２２１ａにデータを格納する（管理センタ２００の送受信装置２１０が管理車両１００ａ等の無線装置１１１で発信された位置情報を受信する位置情報受信工程）（車両位置・印刷機状態データベース２２１ａが受信された位置情報を管理車両１００ａ等との関連で管理する位置情報管理工程）。
そして、図４の車両選択部２２３が、上述の条件である届け先の住所（得意先（Ｂ地点）の住所）に最も近い位置に居る管理車両１００ａ等を選択する。
さらに、車両選択部２２３は、管理車両１００ａ等にうち、Ａ０の印刷が可能な印刷装置１４０を搭載し、インク不足や故障を起こしていない管理車両１００ａ等を選択し、選択を確定する（図９（ｋ）（ｌ））（図８のＳＴ１１）。
【００７８】
なお、各管理車両１００ａ等から位置情報や印刷情報等を管理センタ２００へ報告するのは、管理センタ２００から問い合わせがあった場合に報告するだけでなく、ポーリング（Ｐｏｌｌｉｎｇ）としてもよい。
すなわち、例えば周期的に管理車両１００ａ等から位置情報等を管理センタ２００に送信する構成としてもよい。
このように選択し、例えば管理車両１００ａが上述の条件に適合した場合は、適合した管理車両１００ａが存在した旨を利用者端末１４ａに知らせる（図９（ｍ））。
【００７９】
次に、画面上に支払い方法（カード、銀行振り込み、着払い等）が表示され（ＳＴ１２）、利用者端末１４ａの（甲）が支払い方法を選択すると、選択された支払い方法がＷｅｂ管理サーバ２３０へ入力される（図９（ｎ））。
Ｗｅｂ管理サーバ２３０から情報管理サーバ２２０へ顧客情報確認の指示があり（図９（ｏ））、情報管理サーバ２２０の顧客管理・認証部２２４が課金管理データベース２２４ｂのデータで支払い方法を確認する（図９（ｐ））。
このとき、外部の銀行等に問い合わせを行うよう構成してもよい。このように構成することで、より支払いの選択枝が広がると共に、信用確認も容易になるので本実施の形態の利便性が高まることになる。
【００８０】
次に、利用者端末１４ａに支払いの確認ができたことが画面上表示され、サービスが開始される旨も通知される（図９（ｑ））。
次に、図７の情報管理サーバ２２０の車両選択部２２３は、上述の条件の合致した管理車両１００ａに対して、印刷情報管理データベース２２２ａ内の、得意先（Ｂ地点）の住所情報及び用紙サイズとして、Ａ０を１０枚指定すること、色として鮮やかを指定すること、印刷属性として画像を指定すること、さらに時間情報として１７：００を指定すること等の印刷情報を送受信装置２１０を介して管理車両１００ａに送信する（図９（ｒ））（図８のＳＴ１３）。
すなわち、送受信装置２１０が車両選択部２２３で選択された特定の位置情報に該当する管理車両１００ａの無線装置１１１に対して特定の地理情報に関する地理情報付き印刷情報を送信する印刷情報送信工程である。
【００８１】
次に、選択された管理車両１００ａの図４に示す印刷情報管理制御部１２２ａは、受信した印刷情報のうち、用紙サイズＡ０を１０枚、色として鮮やか、画像等の情報を印刷情報データベース１４０ｃに格納する。
また、得意先（地点Ｂ）の住所情報（地理情報）と、印刷情報のうち、１７：００配達の情報は、運行管理制御部１２１ａによって届け先住所名称等データベース１２１ｃに格納される。
すなわち、管理車両１００ａの無線装置１１１が管理センタ２００から送信される特定の地理情報に関する地理情報付き印刷情報を受信する地理情報付き印刷情報受信工程である。
【００８２】
次に、管理車両１００ａの印刷装置制御部１４０ａは印刷情報データベース１４０ｃ内の用紙サイズＡ０を１０枚、色として鮮やか、画像のデータに基づいて、印刷装置１４０を稼働し印刷を開始する（図８のＳＴ１４）。
また、並行して、運行管理制御部１２１ａは届け先住所名称等データベース１２１ｃから得意先（Ｂ地点）の地理情報と１７：００配達という時刻情報に基づいて、１７；００までにＢ地点に到達するためのルートをカーナビゲーション装置１３０及びＧＰＳ装置１１２により選定し、管理車両１００ａのエンジン等の駆動機構により移動を開始する。
すなわち、印刷装置１４０が印刷情報に基づいて印刷を行うと共に、駆動機構が位置を変更する印刷及び移動工程となる。
【００８３】
管理車両１００ａがＢ地点に到達するまでには、（甲）が依頼した現場写真はＡ０サイズで１０枚の印刷が完了しており、管理車両１００ａの得意先への到着の時には、既に印刷物を渡せる状態となっている（図８のＳＴ１５）。
このように、本実施の形態によれば、印刷が完了した後、迅速に印刷物を得意先に届けることができるので、従来のように印刷物を取りに行く必要がなく、緊急の印刷及び配達の要望にも充分に対応できるシステムである。
特に、移動可能な管理車両１００ａ等に印刷装置１４０を搭載しているため移動しつつ印刷を行えるので、配達の時間と印刷の時間を別々に設ける必要がなく大幅な時間短縮が可能となる。
【００８４】
管理車両１００ａ等は複数配置され、それぞれに異なる種類の印刷装置１４０を搭載することができ、この場合は印刷の要望に沿った印刷装置１４０を搭載した管理車両１００ａ等を管理センタ２００のデータベースで直ぐに検索することができる。
したがって、届け先に最も近い場合に所在する管理車両１００ａ等で且つ要求されている印刷か可能な印刷装置１４０を搭載している車両を選択し、印刷指示等を出すことができる。
このため、依頼主（甲）の様々な種類の印刷要求にも迅速に対応できる。
【００８５】
管理センタ２００は管理車両１００ａ等の位置、印刷に関する情報等を取得しているので、印刷の要望に適応できる最も適切な管理車両１００ａ等を迅速に特定することができる。
また、ＧＰＳ装置１１２を備えた携帯電話装置１１０を管理車両１００ａ等に備えるだけで、本システムが稼働するので、特別な装置を設置する必要がなく、システムの導入コストを低減することができる。
【００８６】
また、管理センタ２００は各管理車両１００ａ等の印刷装置１４０の状況、例えば故障中、インク不足等を把握することができるので、選択された管理車両１００ａ等の印刷装置１４０がインク不足等により印刷できないという事態の発生を未然に防ぐことができる。
【００８７】
また、管理センタ２００には顧客管理データベース２２４や課金管理データベース２２４が備わっているので、会員は毎回煩わしい操作をしなくても、会員番号やパスワード等を入力するだけで、迅速に印刷及び配達を依頼することができる。管理センタ２００としては、顧客管理を行い易くなる。
また、管理車両１００ａ等はＧＰＳ装置１１２とカーナビゲーション装置１３０を有するので、得意先（地点Ｂ）に最も迅速に到達するルートで移動することが可能となり、より早く配達することが可能となる。
【００８８】
ところで、得意先に印刷物の配達が完了すると、管理車両１００ａは管理センタ２００に印刷物配達完了報告を行う（図９（ｓ））。
管理センタ２００は顧客データ、課金、履歴情報を更新し、印刷データを消去し（図９（ｔ））、サービス利用者である（甲）の利用者端末１４ａにメール等でサービス完了報告を送信する（図９（ｕ））（図８のＳＴ１６）。
なお、この完了報告は電話等であってもよい。
【００８９】
ところで、図８のＳＴ１１で印刷条件に合致する管理車両１００ａ等が無かった場合は、条件不適合項目を利用者端末１４ａに表示し（ＳＴ１７）、サービス利用を止めるか否かを、（甲）に選択してもらう（ＳＴ１８）。
利用を止める場合は、そのまま終了し、利用を止めない場合は、ＳＴ８に戻り印刷情報入力を再び行うことになる。
【００９０】
このオンデマンド印刷システム１０は、上述の例の他、利用者端末が携帯電話で、無線により管理センタ２００に接続する場合でもよい。
これは、以下のような場合に有効である。例えばある地方の会場においてプレゼンテーションを行うことになり、その資料を前日に作成したが、当日、その地方の会場に行ってから資料に重大なミスがあることに気づいた。
その地域は携帯電話網は利用できる。そこで持ってきたＰＣ（パーソナルコンピュータ）内にあるプレゼンテーション資料データの間違いを修正し、本オンデマンド印刷システムを利用して、管理車両１００ａ等に印刷してもらい、イベント会場まで配達してもらうことができる。
【００９１】
以上のように、本システム等では、印刷物の配達希望場所に近い管理車両１００ａ等内で印刷できるの、従来より迅速な配達が可能となる。
また、利用者にとって希望する場所まで配達してくれるためプリント場所まで取りに行く必要がない。
さらに、管理車両１００ａ等には個人が購入するには困難且つ利用頻度が低い印刷装置１４０も装備しており、希望の印刷結果（印刷物）がリーズナブルな価格で取得できる。
【００９２】
本実施の形態では、印刷装置１４０は紙に印刷をする場合を例に説明したが、本発明は、これに限らず、Ｔシャツにプリントする装置を管理車両に搭載する場合や、データを用いて管理車両内で作成する装置を搭載する場合等も含まれる。
また、本実施の形態では、Ｗｅｂ管理サーバ２３０としたが、これに限らずサービス受付窓口は、ＦｒｏｎｔＥｎｄで、Ｗｅｂページでも、直接人間が対応する形でも、これらの共用でもよい。
【００９３】
（プログラム及びコンピュータ読み取り可能な記録媒体等について）
コンピュータに上述の動作例の位置情報取得工程、位置情報発信工程、位置情報受信工程、位置情報管理工程、地理情報付き印刷情報入力工程、地理情報付き印刷情報管理工程、選択工程、地理情報付き印刷情報送信工程、地理情報付き印刷情報受信工程、印刷及び移動工程等を実行させるための移動印刷プログラムとすることができる。
また、このような移動印刷プログラムを記録したコンピュータ読み取り可能な記録媒体とすることもできる。
【００９４】
これら移動印刷プログラムをコンピュータにインストールし、コンピュータによって実行可能な状態にするために用いられるプログラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔｅｒｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【００９５】
本発明は、上述の各実施の形態に限定されない。さらに、上述の各実施の形態は、相互に組み合わせて構成するようにしてもよい。
【図面の簡単な説明】
【図１】本発明である移動印刷システムの実施の形態に係る例えば、オンデマンド印刷システムを示す概略図である。
【図２】管理車両の主なハードウエアの構成を示す概略図である。
【図３】運行管理装置及び印刷情報管理装置等の主なハードウエア構成等を示す概略図である。
【図４】管理車両等のソフトウエア構成等を示す概略図である。
【図５】主に管理センタのハードウエア構成等を示す概略図である。
【図６】主にＷｅｂ管理サーバのソフトウエア構成等について示す概略図である。
【図７】主に情報管理サーバのソフトウエア構成を示す概略図である。
【図８】オンデマンド印刷システムの動作等を示す概略フローチャートである。
【図９】オンデマンド印刷システムの動作等を示す概略シーケンスチャートである。
【符号の説明】
１０・・・オンデマンド印刷システム、１１・・・無線基地局、１２・・・基地局、１３・・・インターネット網、１４ａ乃至１４ｃ・・・利用者端末、１５ａ乃至１５ｄ・・・ＧＰＳ衛星、１００ａ乃至１００ｃ・・・管理車両、１１０・・・携帯電話装置、１１１・・・無線装置、１１１ａ・・・無線部、１１２・・・ＧＰＳ装置、１１２ａ・・・自己位置取得部、１２０・・・制御装置、１２１・・・運行管理装置、１２１ａ・・・運行管理制御部、１２１ｂ・・・自己位置データベース、１２１ｃ・・・届け先住所名称データベース、１２２・・・印刷情報管理装置、１２２ａ・・・印刷情報管理制御部、１２３・・・バス、１２４・・・ＣＰＵ、１２５・・・ＲＡＭ、１２６・・・ＲＯＭ、１２７・・・ハードディスク、１２８・・・操作装置、１２９・・・表示装置、１３０・・・カーナビゲーション装置、１３０ａ・・・カーナビゲーション部、１４０・・・印刷装置、１４０ａ・・・印刷装置制御部、１４０ｂ・・・印刷状態データベース、１４０ｃ・・・印刷情報データベース、２００・・・管理センタ、２１０・・・送受信装置、２１１・・・無線ネットワーク制御部、２２０・・・情報管理サーバ、２２１・・・車両運行・状態管理部、２２１ａ・・・車両位置・印刷機状態データベース、２２２・・・印刷情報管理部、２２２ａ・・・印刷情報管理データベース、２２３・・・車両選択部、２２４・・・顧客管理・認証部、２２４ａ・・・顧客管理データベース、２２４ｂ・・・課金管理データベース、２３０・・・Ｗｅｂ管理サーバ、２３１・・・インターフェース部、２３２・・・Ｗｅｂ画面形成出力部、２３２ａ・・・Ｗｅｂ画面データベース、２３２ｂ・・・地図データベース
【図１】
2004227086.tif 000003
【図２】
2004227086.tif 000004
【図３】
2004227086.tif 000005
【図４】
2004227086.tif 000006
【図５】
2004227086.tif 000007
【図６】
2004227086.tif 000008
【図７】
2004227086.tif 000009
【図８】
2004227086.tif 000010
【図９】
2004227086.tif 000011